(57)【要約】      （修正有）【課題】ニット帽着用者が近くの地面の状況を把握しやすくするニット帽用ライトを提供する。【解決手段】ニット帽２における着用者の頭部に沿った取付面Ｓにおいて、ニット帽２に取り付けられるニット帽用ライト１であり、ニット帽用ライト１は、ニット帽２に取り付けた状態で、着用者の頭部の前方斜め下方向を照らせるように、取付面Ｓに対して垂直な方向から傾いた方向を照らす。【選択図】図１
0003235608.tif 000002
【実用新案登録請求の範囲】
【請求項１】
ニット帽における着用者の頭部に沿った取付面において、当該ニット帽に取り付けられるニット帽用ライトであって、
前記ニット帽に取り付けた状態で、前方を向いた着用者の頭部の前方斜め下方向を照らせるように、前記取付面に対して垂直な方向から傾いた方向を照らす、ニット帽用ライト。
【請求項２】
請求項１に記載のニット帽用ライトと、
前記ニット帽用ライトが取り付けられる取付部と、該取付部を首からぶら下げる首掛部とを有する、首掛ホルダと
を備える、ライトユニット。
【考案の詳細な説明】
【技術分野】
【０００１】
本考案は、ニット帽用ライト及びライトユニットに関する。
【背景技術】
【０００２】
特許文献１には、帽子のつばの一端に筒を設け、筒の真中部分に伸縮ゴムを設け、円筒に小型ランプを差し込んで構成された、ライト付き帽子が開示されている。
【先行技術文献】
【特許文献】
【０００３】
【特許文献１】特開２０１２−１０２４４９号公報
【考案の概要】
【考案が解決しようとする課題】
【０００４】
ところで、夜間にアウトドアで活動する場合、例えば寒い季節など、特許文献１のようなつば付きの帽子ではなく、ニット帽を着用したい場合がある。ニット帽に取り付けるニット帽用ライトは、主に夜間のアウトドアなどの暗い環境で使用するものであるため、安全性などの観点から、適切な方向を照らせるようにしたい。例えば、ニット帽用ライトが真っすぐに前方を照らす場合には、ニット帽着用者が真っすぐ前方を向いた状態では、着用者の周りの地面などを照らすことができない。このような場合、着用者は近くの地面の状況を把握しにくく、危険である。
【０００５】
本考案は斯かる点に鑑みてなされたものであり、その目的は、着用者が近くの地面の状況を把握しやすくすることにある。
【課題を解決するための手段】
【０００６】
第１の考案は、ニット帽における着用者の頭部に沿った取付面において、当該ニット帽に取り付けられるニット帽用ライトであって、前記ニット帽に取り付けた状態で、前方を向いた着用者の頭部の前方斜め下方向を照らせるように、前記取付面に対して垂直な方向から傾いた方向を照らす、ニット帽用ライトである。
【０００７】
第１の考案によれば、ニット帽用ライトは、着用者の頭部に位置する取付面において、ニット帽に取り付けられ、取付面に対して垂直な方向から傾いた方向を照らす。このため、ニット帽用ライトは、着用者の前方を真っすぐ照らすのではなく、着用者の前方斜め下方向を照らすことができる。その結果、着用者が近くの地面の状況を把握しやすくなる。
【０００８】
第２の考案は、第１の考案に係るニット帽用ライトと、前記ニット帽用ライトが取り付けられる取付部と、該取付部を首からぶら下げる首掛部とを有する、首掛ホルダとを備える、ライトユニットである。
【０００９】
第２の考案によれば、ライトユニットは、ニット帽用ライトをニット帽に取り付けて使用するだけでなく、首からぶら下げて使用でき、便利である。
【考案の効果】
【００１０】
以上説明したように、本考案によると、ニット帽着用者が近くの地面の状況を把握しやすくなる。
【図面の簡単な説明】
【００１１】
【図１】ニット帽用ライト及びニット帽を示す斜視図である。
【図２】図１のII−II断面図である。
【図３】ニット帽用ライトの分解斜視図である。
【図４】ニット帽用ライト及び首掛け部材を示す斜視図である。
【考案を実施するための形態】
【００１２】
以下、本考案の実施形態を図面に基づいて詳細に説明する。以下の好ましい実施形態の説明は、本質的に例示に過ぎず、本考案、その適用物又はその用途を制限することを意図しない。また、以下では図面における位置関係を表すために、前、後、上及び下という方向を表す表現を用いるが、これらの表現により本考案の範囲を限定することを意図しない。
【００１３】
（第１実施形態）
―構成―
第１実施形態に係るニット帽用ライト１（以下、単に「ライト」という）は、図１に示すように、ニット帽２の前側、具体的には、ニット帽着用者（以下、単に「着用者」という）の頭部に位置する取付面Ｓにおいて、ニット帽２に取り付けて使用するためのものである。なお、ニット帽２は、着用者の頭の形状に沿うように頭を覆い、取付面Ｓは、ニット帽２における着用者の額に沿った部分に位置する。
【００１４】
ライト１の寸法及び形状は、図１に示すように、前方から見て、例えば縦３ｃｍ×横４ｃｍ程度の略矩形状である。ライト１は、図１〜３に示すように、略板状の電池収容部１ａと、電池収容部１ａの前側の面に設けられた発光部１ｂとを備える。
【００１５】
電池収容部１ａは、図３に示すように、電池１１と、電池１１の後側から電池１１を保護する略矩形状のカバー１２と、該カバー１２の外周部を取り囲む防水ゴム１３とを有する。
【００１６】
発光部１ｂは、電池１１の前側に設けられたメイン基板１４と、メイン基板１４の前側に設けられたＬＥＤ基板１５と、これら両基板１４，１５を固定し且つ前側から覆うＰＣＢホルダ１６と、両基板１４，１５及びＰＣＢホルダ１６を前側から覆うケース１７とを有する。ＬＥＤ基板１５の前側の面には、ＬＥＤ１５ａが設けられている。
【００１７】
ＬＥＤ基板１５は、図２に示すように、上下方向（取付面Ｓと平行な方向）に対して３０°傾いた状態で、ＰＣＢホルダ１６に固定されている。これにより、ＬＥＤ１５ａが発光して照らす方向、すなわちライト１が照らす方向Ｌは、前方（取付面Ｓに対して垂直な方向Ｖ）から３０°下方に傾いた、前方斜め下方向となる。これにより、ライト１を、ニット帽２に取り付けた状態で、前方を向いた着用者の頭部の前方斜め下方向を照らせるようにすることができる。
【００１８】
ＰＣＢホルダ１６及びケース１７には、それぞれ、前後に貫通する孔１６ａ，１７ａが形成されており、これらの孔１６ａ，１７ａには、前後方向に長いスイッチ部材１８が挿通されている。スイッチ部材１８は、前後方向に長いスペーサ１８ａと、スペーサ１８ａの前側に設けられ、ケース１７の前側に露出するスイッチカバー１８ｂとを有する。着用者によりスイッチ部材１８が後方へ押されると、スペーサ１８ａの後端部がメイン基板１４に接し、これにより電池１１からメイン基板１４及びＬＥＤ基板１５への電力が供給され、ＬＥＤ１５ａが発光する。
【００１９】
また、ライト１は、電池１１を充電するためのＵＳＢ接続部（図示しない）を備える。ＵＳＢ接続部は、不使用時には、図３に示すようにＵＳＢカバー１９で覆われている。
【００２０】
なお、ニット帽２は、図１に示すように、着用者の頭を覆う本体部２１と、本体部２１の下部に続き、外側に折り返された返し部２２とを有する。返し部２２における額中央部には、ライト１の発光部１ｂが前方を照らすように、発光部１ｂを外側に露出させるための開口部Ｈが形成されている。取付面Ｓは、本体部２１における開口部Ｈの後方に位置している。ライト１をニット帽２に取り付けるためには、例えばライト１を本体部２１と返し部２２との間にいれ、取付面Ｓに位置付け、発光部１ｂを開口部Ｈから前側に露出させる。
【００２１】
―作用・効果―
本実施形態によれば、ライト１は、着用者の額に位置する取付面Ｓにおいて、ニット帽２に取り付けられ、取付面Ｓに対して垂直な方向Ｖから傾いた方向Ｌを照らす。このため、ライト１は、着用者の前方を真っすぐ照らすのではなく、着用者の前方斜め下方向を照らすことができる。その結果、着用者が近くの地面の状況を把握しやすくなる。
【００２２】
（第２実施形態）
図４は、第１実施形態に係るライト１を、ニット帽２に取り付けていない状態で使用するための、第２実施形態に係るライトユニットＵを示す。ライトユニットＵは、ライト１と、このライト１を首からぶら下げるための首掛ホルダ３０とを備える。
【００２３】
具体的に、首掛ホルダ３０は、ライト１が取り付けられる取付部３１と、取付部３１を着用者の首からぶら下げるための首掛部３２とを有する。取付部３１は、前方から見てライト１の発光部１ｂを囲む、略矩形の枠状に形成されている。ライト１を取付部３１に取り付けると、取付部３１の後側の面は、ライト１の電池収容部１ａの前側の面に接する。首掛部３２は、両端部が取付部３１の上端部に固定された線状の部材である。首掛部３２は、取付部３１を使用者の胸部周辺に位置付け且つ首からぶら下げられるように、使用者の首の周囲を囲むのに十分な長さを有する。
【００２４】
なお、ライト１は、取付部３１に対して、はめ込みにより取り付けられる。
【００２５】
本実施形態によれば、ライトユニットＵは、ライト１をニット帽２に取り付けて使用するだけでなく、首からぶら下げて使用できる。このため、ニット帽２を着用しない暑い季節でもライト１を使用でき、便利である。また、ライト１を首からぶら下げて使用すれば、必要に応じて、取付部３１の配置を手で調整して、ライト１の向きを変えて照らす方向を自由に変えることもでき、使用者が近くの地面の状況を把握しやすくなる。
【００２６】
（その他の実施形態）
ライト１は、例えば車などの金属部分に取り付けるための、磁石を備えていてもよい。これにより、アウトドアでの使用態様が広がり、さらに便利になる。
【００２７】
また、第１実施形態では、ライト１の取付面Ｓは、ニット帽２における着用者の額に沿った部分に位置するが、これに限られず、着用者の頭部において前方斜め下方向を照らせる部位に位置していればよい。
【００２８】
また、第１実施形態では、ＬＥＤ１５ａの照らす方向Ｌは、取付面Ｓに対して垂直な方向Ｖから下方に傾いた角度（傾き角度）は３０°であるが、これに限られない。この傾き角度は、例えば１０〜８０°であり、好ましくは２０°〜４０°である。
【産業上の利用可能性】
【００２９】
本考案は、ニット帽用ライト及びライトユニットとして有用である。
【符号の説明】
【００３０】
１      ニット帽用ライト 
１ａ    電池収容部
１ｂ    発光部
２      ニット帽
Ｕ        ライトユニット
３０      首掛ホルダ
３１      取付部 
３２      首掛部
【図１】
0003235608.tif 000003
【図２】
0003235608.tif 000004
【図３】
0003235608.tif 000005
【図４】
0003235608.tif 000006